(57)【特許請求の範囲】
【請求項１】
主回路基板を収容する本体部の後方に支持台部が形成され、その支持台部の形成により前記主回路基板にケーブルとコネクタによって接続されたディスク記憶装置を収納する本体部の収納部が設けられ、かつ、支持台部に平板状表示部が取り付けられた情報処理装置であって、
前記支持台部の背面に回動可能に設けられた前記収納部を開閉する開閉蓋と、
前記開閉蓋に第１の弾性体を挟んで取り付けられる着脱可能なディスク記憶装置と、
前記本体部の収納部の壁面に設けられた第２の弾性体と、
前記本体部の収納部の壁面に設けられたクッション材と、
を備え、
前記開閉蓋に前記第１の弾性体を挟んでディスク記憶装置を取り付けるとともに、前記主回路基板とディスク記憶装置とを前記ケーブルとコネクタによって接続した状態で当該開閉蓋を閉じることにより、前記ディスク記憶装置は前記第１の弾性体と第２の弾性体との間に挟まれた状態で、かつ、前記コネクタが前記クッション材により前記ディスク記憶装置から外れないように押圧された状態で収納部内に収納されるようにしたことを特徴とする情報処理装置。
【請求項２】
開閉蓋は下端を中心に回動するように支持台部の背面に設けられたことを特徴とする請求項１に記載の情報処理装置。
【請求項３】
支持台部の上面に複数の放熱孔を設けたことを特徴とする請求項１乃至請求項２に記載の情報処理装置。
【発明の詳細な説明】
【０００１】
【発明の属する技術分野】
本発明は、デスクトップ型パーソナルコンピュータ・ワードプロセッサ等において、ディスク記憶装置を着脱自在に収納する情報処理装置に関するものである。
【０００２】
【従来の技術】
近年、デスクトップ型パーソナルコンピュータ・ワードプロセッサ等の情報処理装置において、内蔵するハードディスクドライブ（以下ＨＤＤと称する）などのディスク記憶装置の大容量化やセキュリティーの問題により、ディスク記憶装置を情報処理装置本体から容易に着脱できることが要望されている。
【０００３】
以下に、従来のディスク記憶装置を内蔵する情報処理装置について説明する。図５は従来の情報処理装置の断面図であり、図において、１１は情報処理装置の本体部で、上筐体１１ａと下筐体１１ｂとから構成されており、ＣＰＵ（図示せず）などの半導体部品が実装された主回路基板１２や、ディスク記憶装置であるＨＤＤ１３を内蔵している。主回路基板１２とＨＤＤ１３とはケーブル１４にて接続される。ＨＤＤ１３は、メインシャーシ１５に弾性体を挟んで取り付けられている。
【０００４】
また、１７は本体部１１の上筐体１１ａ上に載置される液晶などの平板状表示装置である。
【０００５】
以上のように構成される従来の情報処理装置において、ＨＤＤ１３の着脱は、本体部１１から下筐体１１ｂを取り外した後、メインシャーシ１５から、ＨＤＤ１３を取り外し、新しいＨＤＤに交換した後、下筐体１１ｂを取り付けていた。
【０００６】
【発明が解決しようとする課題】
しかしながら、上記従来の構成では、ＨＤＤ１３の着脱のためには本体部１１を分解する必要があり、工数および専門知識が必要であった。また、ＨＤＤ１３が衝撃に弱いため破壊される恐れがあり、ユーザーが容易に行うことができなかった。
【０００７】
また、ＨＤＤ１３が主回路基板１２と近接しており、主回路基板１２のＣＰＵなどからの熱による影響を受ける恐れもあった。ＨＤＤ１３自身も発熱しており、本体部１１内部が高温になり、他の電子部品などにも悪影響を及ぼすため、放熱ＦＡＮなどによる強制的な放熱のための対策を取る必要があった。
【０００８】
本発明は、上記従来の問題点を解決するもので、ディスク記憶装置を本体に設けられた収納部へ容易に着脱することができ、ディスク記憶装置に衝撃が加わって破壊される危険をなくすことができ、
さらには放熱対策も可能な優れた情報処理装置を提供することを目的とする。
【０００９】
【課題を解決するための手段】
この課題を解決するために本発明は、主回路基板等を収容する本体部と、本体部の後方に形成された支持台部と、支持台部に取り付けられる平板状表示部と、ディスク記憶装置を収納するための収納部と、収納部の開閉蓋とを備え、開閉蓋にディスク記憶装置を保持するようにしたものである。
【００１０】
【発明の実施の形態】
本発明は、主回路基板を収容する本体部と、前記本体部の後方に形成された支持台部と、前記支持台部に取り付けられる平板状表示部とを備え、前記支持台部が形成された前記本体部の収納部にディスク記憶装置を収納することを特徴とする情報処理装置であり、情報処理装置の本体部と支持台部とによって生じるスペースにディスク記憶装置を配置することによって、主回路基板とディスク記憶装置を離すことができ、ディスク記憶装置が主回路基板に実装された電子部品による熱等の影響を受けにくくすることができるという作用を有する。
【００１１】
本発明は、ディスク記憶装置は内蔵されるディスク状記憶媒体の記録面が情報処理装置の設置面に対し略垂直となる方向に立てた状態で収納部に収納されることを特徴とするものであり、有効にディスク記憶装置を配置することができるという作用を有する。
【００１２】
本発明は、支持台部の背面に、ディスク記憶装置を収納する開閉蓋が設けられることを特徴とするものであり、支持台部の背面の開閉蓋を開けるのみでディスク記憶装置の着脱が容易に行えるという作用を有する。
【００１３】
また、本発明は、開閉蓋は下端を中心に回動することを特徴とするものであり、開閉蓋が開かれた後の作業が容易に行えるという作用を有する。
【００１４】
また、本発明は、収納部の開閉蓋にディスク記憶装置が保持されることを特徴とするものであり、開閉蓋が開かれた後、ディスク記憶装置の着脱の作業が容易に行えるという作用を有する。
【００１５】
さらに、本発明は、ディスク記憶装置を第１の弾性体を挟んで開閉蓋に保持するとともに、本体部収納部に第２の弾性体を設け、前記開閉蓋を閉じたとき、ディスク記憶装置を第１の弾性体と第２の弾性体により挟むようにしたことを特徴とするものであり、ディスク記憶装置の衝撃吸収を容易に行うことができるという作用を有する。
【００１６】
また、本発明は、ディスク記憶装置は本体部から引き出されたケーブルとコネクタで接続され、前記ディスク記憶装置が収納部に収納された時前記コネクタ接続部と対向する前記収納部壁面にクッション材を設けることを特徴とするものであり、開閉蓋が突然開いてしまい、ディスク記憶装置に衝撃を与えることを防止すると共に、振動などによりコネクタがディスク記憶装置から外れることを防止することができるという作用を有する。
【００１７】
また、本発明は、支持台部上方に放熱孔を設けたことを特徴とするものであり、ディスク記憶装置の放熱を放熱ＦＡＮなどによることなく容易に行うことができるという作用を有する。
【００１８】
以下、本発明の実施の形態について、図１から図４を用いて説明する。
【００１９】
（実施の形態１）
図１は本発明の一実施の形態による情報処理装置を背面より見た外観斜視図、図２は情報処理装置を側面より見た開閉蓋が開状態の断面図、図３は開閉蓋が閉状態の断面図である。また、図４は収納部にＨＤＤが収納された状態を背面から見た断面図である。図において、１は情報処理装置の本体部で、後方に支持台部１ａが形成されている。そして、支持台部１ａには液晶表示装置が内蔵された表示部２が取り付けられている。本体部１の内部には、ＣＰＵ（図示せず）などの半導体部品が実装された主回路基板３や、ディスク記憶装置であるＨＤＤ４が内蔵されている。主回路基板３とＨＤＤ４とはケーブル５とコネクタ６にて接続される。ＨＤＤ４は、本体部１の背面に設けられた開閉蓋７に弾性体８を挟んで取り付けられ、本体部１の収納部１ｂに収納される。開閉蓋７は下端７ａを支点に回動するように支持台部１ａに取り付けられており、上部がネジ９により支持台部１ａに固定される。また、本体部１の収納部１ｂの奥面には弾性体１０、側壁にはクッション材１８がそれぞれ貼り付けられている。また、支持台部１ａの上面には複数の開孔１ｅが設けられている。
【００２０】
以上のように構成された本発明の一実施の形態の情報処理装置について、その動作を説明する。
【００２１】
まず、ＨＤＤ４を取り外す場合は、ネジ９を外し、図２で示すように、開閉蓋７を下端７ａを支点に回動させ開く。そして、ケーブル５の先端のコネクタ６を外し、ＨＤＤ４を取り外す。
【００２２】
次に、ＨＤＤ４を取り付ける場合は、弾性体８を挟んで開閉蓋７にＨＤＤ４を固定しコネクタ６を接続した後、図３で示すように、開閉蓋７の下端７ａを支点に回動させ支持台部１ａに取り付ける。その後、ネジ９にて固定する。このとき、ＨＤＤ４は、内蔵するディスク状記憶媒体（図示せず）の記録面が情報処理装置の設置面に対し略垂直となる方向に立てた状態となっており、衝撃の影響を受けやすい方向で弾性体８と弾性体１０の間に挟まれるため、衝撃より保護される。またこのとき、コネクタ６がクッション材１８によって押えられるため、ＨＤＤ４との接続が外れることが防止される。
【００２３】
また、ＨＤＤ４が支持台部１ａが形成された収納部１ｂ内に配置されることにより、主回路基板３とＨＤＤ４との距離が離れるため、ＨＤＤ４が主回路基板に実装された電子部品による熱等の影響を受けにくくなる。
【００２４】
また、ＨＤＤ４は本体部１の支持台部１ａが形成された収納部１ｂ内に立てた状態で配置されるため、本体部１と表示部２で形成される空間を有効に利用することができる。
【００２５】
また、支持台部１ａの上面に設けられた複数の開孔１ｅにより、放熱ＦＡＮなどを用いることなくＨＤＤ４の放熱を行うことができる。
【００２６】
【発明の効果】
以上のように本発明によれば、本体部の支持台部の背面に回動可能に設けられた開閉蓋に弾性体を挟んでディスク記憶装置を取り付け、開閉蓋を閉じることによりディスク記憶装置を本体部の収納部に収納し、かつ、開閉蓋を開くことでディスク記憶装置を取り外すことができるため、そのディスク記憶装置を収納部に容易に着脱することができる。
そして、ディスク記憶装置が収納部に収納された状態では、開閉蓋の弾性体と前記収納部の壁面に取り付けられた弾性体により、ディスク記憶装置に衝撃が加わって破壊される危険をなくすことができるとともに、収納部の壁面に取り付けられたクッション材によってディスク記憶装置をケーブルとともに主回路基板に接続するコネクタがそのディスク記憶装置から外れないように押えるようにしたため、振動などによってコネクタの接続が外れるようなことも防止されるという有益なものである。
【図面の簡単な説明】
【図１】  本発明の一実施の形態による情報処理装置を背面より見た外観斜視図
【図２】  本発明の一実施の形態による情報処理装置を側面より見た開閉蓋が開状態の断面図
【図３】  本発明の一実施の形態による情報処理装置を側面より見た開閉蓋が閉状態の断面図
【図４】  本発明の一実施の形態による情報処理装置の収納部にＨＤＤが収納された状態を背面から見た断面図
【図５】  従来の情報処理装置の断面図
【符号の説明】
１  本体部
１ａ  支持台部
１ｂ  収納部
２  表示部
３  主回路基板
４  ＨＤＤ
６  コネクタ
７  開閉蓋
８、１０  弾性体
９  ネジ
１８  クッション材
【図１】
0004608782.tif 000002
【図２】
0004608782.tif 000003
【図３】
0004608782.tif 000004
【図４】
0004608782.tif 000005
【図５】
0004608782.tif 000006